(57)【要約】      （修正有）【課題】ベッドと共に無線化した呼出ボタンを移動しても、新たな設定作業が発生することがないナースコールシステムを提供する。【解決手段】ナースコール子機は、呼出信号を無線発信する無線呼出ボタン１と、ベッド近傍に固定設置されて呼出信号を受信する受信部を備えて受信した呼出信号をナースコール親機５へ有線送信するための受信装置２とを有し、無線呼出ボタン１は自身のＩＤ情報を定期的に発信する一方、受信装置２の受信部は受信したＩＤ情報の電波強度を計測し、受信装置ＣＰＵが最も電波の強い１台の無線呼出ボタン１を受信対象として選択し、制御機６に登録する。【選択図】図１
2014144208.tif 000002
【特許請求の範囲】
【請求項１】
ベッド毎に設置されて患者が看護師を呼び出して通話するためのナースコール子機と、ナースステーションに設置されて前記ナースコール子機からの呼び出しに応答するためのナースコール親機と、前記ナースコール子機とナースコール親機との間の通信を制御する制御機とを有するナースコールシステムであって、
前記ナースコール子機は、呼出信号を無線発信する無線呼出ボタンと、ベッド近傍に固定設置されて前記呼出信号を受信する受信部を備えて受信した呼出信号を前記ナースコール親機へ有線送信するための受信装置とを有し、
前記無線呼出ボタンは、自身のＩＤ情報を定期的に発信するＩＤ信号生成部を有する一方、前記受信装置は受信した前記ＩＤ情報の電波強度を計測する電波計測部と、受信電波の最も強い１台の無線呼出ボタンを受信対象として選択する呼出ボタン選択部とを有することを特徴とするナースコールシステム。
【請求項２】
前記受信装置は、受信対象に選択した前記無線呼出ボタンのＩＤ情報とその受信電波強度情報とをペアリング情報として前記制御機へ送信する子機情報送信部を有する一方、
前記制御機は、各受信装置から受信した前記ペアリング情報を登録する子機情報記憶部と、前記無線呼出ボタンと前記受信装置とのペアリングの可否を判断するペアリング判断手段とを有し、
前記ペアリング判断手段は、受信した前記ペアリング情報から無線呼出ボタンの重複するペアリングの発生を監視し、重複するペアリングが発生したら受信電波強度の最も強いペアリングを残し、他のペアリングを不可として無線呼出ボタンの選択を解消させることを特徴とする請求項１記載のナースコールシステム。
【請求項３】
前記ペアリング判断手段は、前記ペアリング情報の無線呼出ボタンに重複がないと判断したら認証信号を対応する前記受信装置に送信し、
前記無線呼出ボタン或いは前記受信装置は、前記認証信号を受けてペアリング認証を通知する認証表示部を有することを特徴とする請求項２記載のナースコールシステム。
【請求項４】
前記子機情報送信部は、選択した前記無線呼出ボタンのＩＤ情報が受信できなくなったら、選択解除信号を前記制御機に送信し、
前記制御機は、前記選択解除信号を受けて、登録されているペアリング情報を削除することを特徴とする請求項２又は３記載のナースコールシステム。
【請求項５】
前記ペアリング判断手段は、前記受信装置から前記選択解除信号を受けてペアリング情報を削除した後、一定時間が経過しても新たなペアリング情報が送信されなければ、当該受信装置に対して無線呼出ボタン異常の発生を通知する警告信号を送信し、
前記受信装置は、前記警告信号を受けて無線呼出ボタン異常の発生を報音或いは表示により通知する異常発生通知部を有することを特徴とする請求項４記載のナースコールシステム。
【請求項６】
前記ペアリング判断手段は、記憶したペアリング情報が変更され、それまで登録していた前記無線呼出ボタンのＩＤが何れの前記受信装置にも選択されていない場合には、直前まで選択していた前記受信装置に対して無線呼出ボタンの不明を通知する不明発生信号を送信する一方、
前記受信装置は、前記不明発生信号を受けて不明な無線呼出ボタンの発生を報音或いは表示により通知する不明通知部を有することを特徴とする請求項４又は５記載のナースコールシステム。
【発明の詳細な説明】
【技術分野】
【０００１】
本発明は、病院や介護施設等で患者或いは被介護者が看護師或いは介護者を呼び出すためのナースコールシステムに関する。
【背景技術】
【０００２】
ナースコールシステムは、ベッド毎に看護師を呼び出すための呼出ボタンを具備したナースコール子機を備えているが、呼出ボタンは壁面に設置されたプレート子機に接続線により接続されてベッド上等に配置されるため、ベッド移動や患者の起き上がり動作等で接続線が引っ張られて断線が発生したり、コネクタ部を破損する場合があった。
そのため、呼出ボタンを無線化した構成が提案されている。例えば特許文献１には、壁面に設置されたプレート子機から呼出ボタンに対してポーリング呼出を一定周期で実施し、この応答信号から呼出ボタンの押下操作を認識するよう構成されたナースコール子機が開示されている。
【先行技術文献】
【特許文献】
【０００３】
【特許文献１】特開２００６−９５０３８号公報
【発明の概要】
【発明が解決しようとする課題】
【０００４】
上記特許文献１のナースコール子機は、呼出ボタンを無線化したことでベッドの移動等における呼出ボタンの断線やコネクタの破損を防ぐことができ、利便性を向上させることが出来る。
しかしながら、呼出ボタンを無線化することで、プレート子機とのペアリング作業が必要となり、手動で設定する面倒な作業が発生した。そのため、ベッド移動に合わせて呼出ボタンも移動する場合には、移動先のプレート子機との新規ペアリング操作が必要となるし、移動前に使用していたプレート子機とのペアリングを解除する作業も必要であった。
【０００５】
そこで、本発明はこのような問題点に鑑み、ベッドと共に無線化した呼出ボタンを移動しても、新たな設定作業が発生することがないナースコールシステムを提供することを目的としている。
【課題を解決するための手段】
【０００６】
上記課題を解決する為に、請求項１の発明は、ベッド毎に設置されて患者が看護師を呼び出して通話するためのナースコール子機と、ナースステーションに設置されてナースコール子機からの呼び出しに応答するためのナースコール親機と、ナースコール子機とナースコール親機との間の通信を制御する制御機とを有するナースコールシステムであって、ナースコール子機は、呼出信号を無線発信する無線呼出ボタンと、ベッド近傍に固定設置されて呼出信号を受信する受信部を備えて受信した呼出信号をナースコール親機へ有線送信するための受信装置とを有し、無線呼出ボタンは、自身のＩＤ情報を定期的に発信するＩＤ信号生成部を有する一方、受信装置は受信したＩＤ情報の電波強度を計測する電波計測部と、受信電波の最も強い１台の無線呼出ボタンを受信対象として選択する呼出ボタン選択部とを有することを特徴とする。
この構成によれば、無線呼出ボタンが自身のＩＤ信号を定期的に発信し、受信装置がそれを受信するため、無線呼出ボタンが操作されなくても受信対象の無線呼出ボタンの状態を受信装置が認識できる。そして、受信電波強度情報を基に受信対象の無線呼出ボタンを選択するため、ベッド移動等で無線呼出ボタンも移動したら電波強度の低下からそれを認識できるし、新たに強い電波の無線呼出ボタンを認識したら自動で受信対象を変更するよう制御でき、無線呼出ボタンと受信装置とのペアリングを別途設定する作業を無くすことができる。
【０００７】
請求項２の発明は、請求項１に記載の構成において、受信装置は、受信対象に選択した無線呼出ボタンのＩＤ情報とその受信電波強度情報とをペアリング情報として制御機へ送信する子機情報送信部を有する一方、制御機は、各受信装置から受信したペアリング情報を登録する子機情報記憶部と、無線呼出ボタンと受信装置とのペアリングの可否を判断するペアリング判断手段とを有し、ペアリング判断手段は、受信したペアリング情報から無線呼出ボタンの重複するペアリングの発生を監視し、重複するペアリングが発生したら受信電波強度の最も強いペアリングを残し、他のペアリングを不可として無線呼出ボタンの選択を解消させることを特徴とする。
この構成によれば、１台の無線呼出ボタンに対して複数の受信装置がペアリングする事態を防止できる。よって、応答時に無線呼出ボタンから離れたナースコール子機が通話路を形成するような事態を防止でき、個々の無線呼出ボタンを良好に動作させることができる。
【０００８】
請求項３の発明は、請求項２に記載の構成において、ペアリング判断手段は、ペアリング情報の無線呼出ボタンに重複がないと判断したら認証信号を対応する受信装置に送信し、無線呼出ボタン或いは受信装置は、認証信号を受けてペアリング認証を通知する認証表示部を有することを特徴とする。
この構成によれば、無線呼出ボタンが正常に動作することを表示部により認識できるため、ベッド移動等で無線呼出ボタンと受信装置とのペアリングが変更されても、認証表示部のペアリング認証通知動作により不安を抱くことなく無線呼出ボタンを使用できる。
【０００９】
請求項４の発明は、請求項２又は３に記載の構成において、子機情報送信部は、選択した無線呼出ボタンのＩＤ情報が受信できなくなったら、選択解除信号を制御機に送信し、制御機は、選択解除信号を受けて、登録されているペアリング情報を削除することを特徴とする。
この構成によれば、無線呼出ボタンをベッド移動等で受信装置から遠ざけるとペアリングを自動解消するため、使用しないプレート子機が発生しても別途解消操作が必要ないし、新たなペアリング設定時に比較が不要となる。
【００１０】
請求項５の発明は、請求項４に記載の構成において、ペアリング判断手段は、受信装置から選択解除信号を受けてペアリング情報を削除した後、一定時間が経過しても新たなペアリング情報が送信されなければ、当該受信装置に対して無線呼出ボタン異常の発生を通知する警告信号を送信し、受信装置は、警告信号を受けて無線呼出ボタン異常の発生を報音或いは表示により通知する異常発生通知部を有することを特徴とする。
この構成によれば、無線呼出ボタンに電池切れや故障が発生したらそれを通報するため、看護師等は容易にそれを認識できシステムの信頼性が向上する。
【００１１】
請求項６の発明は、請求項４又は５に記載の構成において、ペアリング判断手段は、記憶したペアリング情報が変更され、それまで登録していた無線呼出ボタンのＩＤが何れの受信装置にも選択されていない場合には、直前まで選択していた受信装置に対して無線呼出ボタンの不明を通知する不明発生信号を送信する一方、受信装置は、不明発生信号を受けて不明な無線呼出ボタンの発生を報音或いは表示により通知する不明通知部を有することを特徴とする。
この構成によれば、不明になった無線呼出ボタンが発生したら、それを通知するため、無線呼出ボタンを管理し易い。
【発明の効果】
【００１２】
本発明によれば、無線呼出ボタンが自身のＩＤ信号を定期的に発信し、受信装置がそれを受信するため、無線呼出ボタンが操作されなくても受信対象の無線呼出ボタンの状態を受信装置が把握できる。そして、受信電波強度情報を基に受信対象の無線呼出ボタンを選択するため、ベッド移動等で無線呼出ボタンも移動したら電波強度の低下からそれを認識できるし、新たに強い電波の無線呼出ボタンを認識したら自動で受信対象を変更するよう制御でき、無線呼出ボタンと受信装置とのペアリングを別途設定する作業を無くすことができる。
【図面の簡単な説明】
【００１３】
【図１】本発明に係るナースコールシステムの一例を示す構成図である。
【図２】無線呼出ボタンの回路ブロック図である。
【図３】受信装置の回路ブロック図である。
【図４】制御機の回路ブロック図である。
【図５】無線呼出ボタンを登録する流れを示すフローチャートである。
【図６】無線呼出ボタンの発信電波と受信装置が受信する電波強度の関係を示す説明図である。
【発明を実施するための形態】
【００１４】
以下、本発明を具体化した実施の形態を、図面を参照して詳細に説明する。図１は本発明に係るナースコールシステムの一例を示す構成図であり、病院に設置した場合を示している。図１において、１はベッド毎に配置されて患者が看護師を呼び出すための無線呼出ボタン、２は無線呼出ボタン１が発信する電波を受信する受信装置、３は個々のベッド近傍の壁面に設置されて受信装置２を接続するプレート子機、４は病室の出入口に設置されて呼出発生を表示するための廊下灯、５はナースステーションに設置されて患者からの呼び出しに応答するためのナースコール親機、６はプレート子機３とナースコール親機５との間の通信を制御する制御機であり、無線呼出ボタン１と受信装置２とプレート子機３とで看護師を呼び出して通話するためのナースコール子機７が構成されている。
【００１５】
受信装置２はプレート子機３に接続され、個々のプレート子機３は病室毎に伝送線Ｌ１により廊下灯４に接続されている。廊下灯４は、廊下灯幹線Ｌ２により制御機６に接続され、制御機６は親機幹線Ｌ３によりナースコール親機５に接続されている。
【００１６】
無線呼出ボタン１は図２の回路ブロック図に示すよう構成され、呼出信号等を発信するアンテナ１１、発信信号を生成して変調等実施する無線部１２、呼出信号を発生させるボタン部１３、電池を備えた電源部１４、電源の状態等を表示する表示部１５、無線呼出ボタン全体を制御する呼出ボタンＣＰＵ１６等を備えている。ボタン部１３が患者等の操作者により押下されると、呼出ボタンＣＰＵ１６の制御により無線部１２から呼出信号が出力されてアンテナ１１を介して発信される。また、呼出ボタンＣＰＵ１６の制御により、一定時間間隔で無線部１２から自身のＩＤ情報が出力され、アンテナ１１を介して発信される。
【００１７】
受信装置２は図３の回路ブロック図に示すように構成され、無線呼出ボタン１から発信される呼出信号等を受信するアンテナ２１、受信信号の復調処理、及び電波強度（ＲＳＳＩ値）の演算を実施する受信部２２、異常発生等をＬＥＤの発光により通知する表示部２３、選択した無線呼出ボタン１のＩＤ情報を記憶するＩＤ記憶部２４、有線接続されているプレート子機３と通信するためのインターフェース（受信装置ＩＦ）２５、プレート子機３から電力の供給を受けて受信装置２の駆動電圧を生成する電源部２６、受信部２２から出力される電波強度情報を受けて複数の無線呼出ボタン１のＩＤ情報から受信対象とする１台の無線呼出ボタン１を選択制御すると共に受信装置全体を制御する受信装置ＣＰＵ２７等を備えている。
【００１８】
プレート子機３は、従来の有線式呼出ボタンを接続するコンセント３ａを有し、このコンセントに受信装置２が接続される。そして、呼び出しを受けて応答する看護師と患者が通話するためのマイク３ｂ及びスピーカ３ｃ（図１に示す）を備えている。
【００１９】
廊下灯４は、ナースコール子機７からの呼出発生を表示する表示灯４ａ、患者氏名等を表示する患者情報表示部４ｂを備えている。また、ナースコール親機５は、呼出発生を報音する報音部５ａ、応答するためのハンドセット５ｂ等を備えた第１親機５１と、患者の詳細情報の表示や、看護師チームの設定等の各種設定を行うためのパーソナルコンピュータから成る第２親機５２とで構成されている。
【００２０】
制御機６は図４の回路ブロック図に示すよう構成され、後述するペアリング情報等を記憶する子機情報記憶部６１、患者情報および看護師情報等を記憶する患者・看護師情報記憶部６２、ナースコール子機７とナースコール親機５との間の通信及び制御機６全体を制御する制御機ＣＰＵ６３、廊下灯４及びナースコール親機５と通信する制御機ＩＦ６４等を備えている。
【００２１】
上記の如く構成されたナースコールシステムの動作を次に説明する。但し、無線呼出ボタン１を押下操作して看護師を呼び出し、ナースコール親機５から看護師が応答して通話が行われる動作は従来と同様であるため説明を省略し、受信装置２が受信対象の無線呼出ボタン１を選択するペアリング制御動作を説明する。このペアリングが成されると無線呼出ボタン１による呼出操作が可能となる。
【００２２】
無線呼出ボタン１は、呼出ボタンＣＰＵ１６の制御により定期的（例えば、５秒間隔）に自身のＩＤ情報を発信しており、受信装置２がこのＩＤ情報を受信して、受信したＩＤ信号の電波強度が所定の条件を満たした無線呼出ボタン１を受信対象に設定する。こうして設定された受信対象の情報であるペアリング情報は、制御機６に登録される。
【００２３】
具体的に、図５のフローチャートに基づいて説明する。先ず、制御機６の子機情報記憶部６１には受信対象個々の受信装置２のペアリング情報が記憶されている。例えば、ＩＤとしてｘが記憶され、合わせて電波強度情報であるＲＳＳＩ値Ｘ［ｄＢｍ］が記憶されているとする（Ｓ１）。
その後、受信装置２は引き続き無線呼出ボタン１が定期的に発信するＩＤ情報を受信し、受信したＩＤ情報及び受信部２２が計測した電波強度情報を受信装置ＣＰＵ２７に出力する（Ｓ２）。受信装置ＣＰＵ２７は、所定の一定期間（例えば３０秒）が経過したら（Ｓ３でＹｅｓ）、その間に受信した複数の無線呼出ボタン１から発信されたＩＤ情報ｘ１，ｘ２，ｘ３，・・・の電波強度情報Ｘ１，Ｘ２，Ｘ３，・・［ｄＢｍ］を比較して受信電波強度が最大値を示したＩＤを選択し（Ｓ４）、そのＩＤ情報をＩＤ記憶部２４に記憶させて受信対象の無線呼出ボタン１として登録する（Ｓ５）。また、選択したＩＤ情報及び自身のＩＤ（受信装置番号）と電波強度情報とから成るペアリング情報を制御機６に送信する（Ｓ６）。
受信装置２から送出されたペアリング情報は、プレート子機３、廊下灯４を介して制御機６に送信され、制御機ＣＰＵ６３の制御により子機情報記憶部６１に登録されているペアリング情報（ＩＤ情報及びＲＳＳＩ値）が更新される（Ｓ７）。
【００２４】
図６は無線呼出ボタン１の発信電波と受信装置２が受信する電波強度の関係を示す説明図であり、病室に４つのベッド（図示せず）が配置された場合を示している。個々のベッドには無線呼出ボタン１、受信装置２、プレート子機３が配置され、４台の無線呼出ボタン１（１ａ〜１ｄ）のＩＤを「００１」〜「００４」、対応する４台の受信装置２を第１〜第４受信装置２ａ〜２ｄとして説明する。
そして、第１受信装置２ａ前に配置されたベッド上にＩＤ「００１」の無線呼出ボタン１ａが配置され、第２受信装置２ｂ前に配置されたベッド上にＩＤ「００２」の無線呼出ボタン１ｂが配置され、第３受信装置２ｃ前に配置されたベッド上にＩＤ「００３」の無線呼出ボタン１ｃが配置され、第４受信装置２ｄ前に配置されたベッド上にＩＤ「００４」の無線呼出ボタン１ｄが配置されているとする。尚、第１受信装置２ａと少なくとも第２受信装置２ｂとは隣接して配置、即ち対応するベッド同士は隣接して配置されているとする。
【００２５】
この場合、図６に示すように、第１受信装置２ａが受信する電波強度は、ＩＤ「００１」の無線呼出ボタン１ａが発信するＩＤ信号が−７０［ｄＢｍ］であり、隣のＩＤ「００２」の無線呼出ボタン１ｂが発信するＩＤ信号は−８５ｄＢｍである。一方、第２受信装置２ｂが受信する電波強度は、ＩＤ「００１」の無線呼出ボタン１ａが発信するＩＤ信号の電波強度が−８０［ｄＢｍ］であり、ＩＤ「００２」の無線呼出ボタン１ｂが受信するＩＤ信号は−７５［ｄＢｍ］である。尚、第３及び第４受信装置２ｃ，２ｄが受信するＩＤ「００１」或いはＩＤ「００２」の無線呼出ボタン１ａ，１ｂの受信電波強度は、例えば−９０［ｄＢｍ］と非常に小さい。
【００２６】
従って、第１受信装置２ａにはＩＤ「００１」の無線呼出ボタン１ａからの電波が最も強く受信され、第２受信装置２ｂにはＩＤ「００２」の無線呼出ボタン１ｂからの電波が最も強く受信される。この結果、第１受信装置２ａにはＩＤ「００１」の無線呼出ボタン１ａが受信対象として登録され、第２受信装置２ｂにはＩＤ「００２」の無線呼出ボタン１ｂが受信対象として登録される。
そして、ＩＤ「００３」、「００４」の無線呼出ボタン１ｃ，１ｄは同様にそれぞれ最も近い第３受信装置２ｃ、第４受信装置２ｄにおいて選択され、それぞれ登録される（詳述せず）。
【００２７】
受信装置２は、一定時間毎に上記登録動作を継続して実施し、電波強度が変化して登録するＩＤが変更されたら、制御機６に変更されたペアリング情報を送信する。制御機６はこのペアリング情報により子機情報記憶部６１に保存する情報を書き換えて登録を更新する。
但し、制御機ＣＰＵ６３は、無線呼出ボタン１が新規で登録された際、或いは登録が変更された際には、無線呼出ボタン１と受信装置２とのペアリングに重複がないか子機情報記憶部６１のペアリング情報を読み取って判断し、重複がある場合は受信電波の最も強いペアリングを優先して登録し、弱い方のペアリングを解消させる。解消させる際はキャンセル信号を対応する受信装置２に送信し、重複がなければ認証信号を受信装置２に送信する。
【００２８】
キャンセル信号を受信した受信装置２は、受信装置ＣＰＵ２７が表示部２３の点灯を制御して例えば赤色ＬＥＤの点灯等の所定のペアリング解消表示を実施させる。一方、認証信号を受信した受信装置２は、受信装置ＣＰＵ２７が表示部２３の点灯を制御して例えば青色ＬＥＤの点灯等の所定の認証表示を実施させる。
【００２９】
このように、無線呼出ボタン１が自身のＩＤ信号を定期的に発信し、受信装置２がそれを受信するため、無線呼出ボタン１が操作されなくても受信対象の無線呼出ボタン１の状態を受信装置２が認識できる。そして、受信電波強度情報を基に受信対象の無線呼出ボタン１を選択するため、ベッド移動等で無線呼出ボタン１も移動したら電波強度の低下からそれを認識できるし、新たに強い電波の無線呼出ボタン１を認識したら自動で受信対象を変更するよう制御でき、無線呼出ボタン１と受信装置２とのペアリングを別途設定する作業を無くすことができる。
更に、重複するペアリングが発生したら、制御機６が受信電波強度の最も強いペアリングのみ残して他のペアリングを不可とするため、１台の無線呼出ボタン１に対して複数の受信装置２がペアリングする事態を防止できる。よって、応答時に無線呼出ボタン１から離れたナースコール子機７が通話路を形成するような事態を防止でき、個々の無線呼出ボタン１を良好に動作させることができる。
また、無線呼出ボタン１が正常に動作することを表示部２３により認識できるため、ベッド移動等で無線呼出ボタン１と受信装置２とのペアリングが変更されても、認証表示部のペアリング認証通知動作により正常に動作することを認識でき、安心して無線呼出ボタン１を使用できる。更に、ペアリングが解消された場合、或いは認証されなかった場合も通知されるためナースコール子機７側で状況を把握し易い。
【００３０】
また、受信装置２が所定の一定期間に受信したＩＤ情報の電波が、設定した閾値より弱く、或いは受信するＩＤ信号が無い状況が発生したら、ＩＤ記憶部２４に登録されたＩＤ情報をブランクにすると共に、ＩＤ情報と電波強度情報をブランクにしたペアリング情報を制御機６に送信する。このペアリング情報を受信した制御機６は、制御機ＣＰＵ６３が選択解除信号と認識して子機情報記憶部６１に記憶されているＩＤ情報、受信装置番号及び電波強度情報を削除して登録を抹消する。
このような場合、制御機ＣＰＵ６３が引き続きこの状態を監視し、一定時間が経過しても新たな無線呼出ボタン１が登録されなければ、受信装置２に対して警告信号を送信する。警告信号を受信した受信装置２は、受信装置ＣＰＵ２７が表示部２３を点滅等の所定の異常発生表示を実施させて警告し、無線呼出ボタン１に異常が発生したことを通知する。
【００３１】
このように、無線呼出ボタン１をベッド移動等で受信装置２から遠ざけるとペアリングを自動解消するため、使用しないプレート子機３が発生しても別途解消操作が必要ないし、新たなペアリング設定時に比較が不要となる。また、定期的なＩＤ信号の受信が無くなることを通知するため、無線呼出ボタン１に電池切れや故障が発生したらそれを通報でき、看護師等は容易にそれを認識できるためシステムの信頼性が向上する。
【００３２】
更に、制御機ＣＰＵ６３は、登録した無線呼出ボタン１が変更された場合、それまで登録していた無線呼出ボタン１のＩＤを所定時間監視し、所定時間が経過しても何れの受信装置２にもペアリングされない場合には、直前までペアリングしていた受信装置２に対して不明発生信号を送信する。不明発生信号を受信した受信装置２は、受信装置ＣＰＵ２７が表示部２３のＬＥＤを上記ペアリング解消表示や異常発生表示とは異なる所定の点滅等の発光動作を実施させて不明な無線呼出ボタン１が発生したことを通知する。
この結果、不明になった無線呼出ボタン１が発生したらそれを通知するため、無線呼出ボタン１を管理し易い。
【００３３】
尚、上記実施形態では、受信装置２の表示部２３はＬＥＤの発光により通知する構成としたが、ブザーを内蔵させて異常発生を警報音により通知しても良いし、メッセージを表示するＬＣＤ等を設けて文字により異常内容を表示させても良い。
また、制御機６が受信装置２にペアリング認証の通知を実施したら、受信装置２の表示部２３がそれを表示しているが、受信装置２から無線呼出ボタン１に更に通知して無線呼出ボタン１の表示部１５の表示で通知しても良い。
更に、受信装置２はプレート子機３から電源の供給を受けているが、独立させて商用電源から電力の供給を受けても良いし、無線呼出ボタン１と同様に電池により駆動させても良い。
また、病院に適用したナースコールシステムを説明したが、上記ナースコールシステムは介護施設に対しても適用でき、この場合無線呼出ボタンは非介護者が介護者を呼び出す際に使用される。
【符号の説明】
【００３４】
１・・無線呼出ボタン、２・・受信装置、３・・プレート子機、４・・廊下灯、５・・ナースコール親機、６・・制御機、７・・ナースコール子機、１２・・無線部（ＩＤ信号生成部）、１３・・ボタン部、１６・・呼出ボタンＣＰＵ、２２・・受信部（電波計測部）、２３・・表示部（認証表示部、異常発生通知部、不明通知部）、２７・・受信装置ＣＰＵ（呼出ボタン選択部、子機情報送信部）、６１・・子機情報記憶部、６３・・制御機ＣＰＵ（ペアリング判断手段）。
【図１】
2014144208.tif 000003
【図２】
2014144208.tif 000004
【図３】
2014144208.tif 000005
【図４】
2014144208.tif 000006
【図５】
2014144208.tif 000007
【図６】
2014144208.tif 000008